(57)【要約】      （修正有）【課題】ラチェット装置によりノブ本体の逆転を防止し、ロック装置によりノブ装置の確実なロックを実現でき、且つ構造がシンプルであるノブ装置を提供する。【解決手段】カプセルトイに係るノブ装置は、ノブベース１、ノブ本体２、回転軸３、ラチェット装置、及びロック装置を含み、回転軸の第１端は、ノブ本体に接続し、第２端は、ラチェット装置、ノブベース、及びロック装置を順次貫通して接続する。ノブ本体は、回転して回転軸をノブベースに対して回転させ、ラチェット装置及びロック装置は、回転軸の回転に連れてノブベースに対して回転する。カプセルトイマシンは、ノブを含み、ノブ装置は、ノブベースを介してカプセルトイマシンのハウジングに固定接続される。ノブ装置は、ノブベース、ノブ本体、ラチェット装置、及びロック装置を合理的に配置することにより、構造をよりコンパクトにし、作動の感度を高める。【選択図】図１
0003224142.tif 000002
【実用新案登録請求の範囲】
【請求項１】
ノブベース、ノブ本体、回転軸、ラチェット装置、及びロック装置を含むノブ装置であって、
前記回転軸の第１端の端部は、前記ノブ本体に接続され、第２端は、前記ラチェット装置、前記ノブベース、及び前記ロック装置を順次貫通して接続し、
前記ノブ本体は、回転して前記回転軸を動かして前記ノブベースに対して回転させ、前記ラチェット装置及び前記ロック装置は、前記回転軸の回転に連れて前記ノブベースに対して回転することを特徴とするノブ装置。
【請求項２】
前記ラチェット装置は、ラチェット、爪、リターンスプリング、及びスプリングマウントを含み、
前記ラチェットは、前記回転軸に嵌着され、
前記爪の頭部は、前記ラチェットと嵌合して噛み合い、
前記爪の尾部は、前記リターンスプリング内に挿入され、
前記リターンスプリングは、前記スプリングマウントに取り付けられ、
前記スプリングマウントは、前記ノブベースに固定して取り付けられ、
前記ラチェットは、時計回りに回転することによって前記爪に対して絶えず衝撃を与えて押圧して、前記リターンスプリングを圧縮して弾性ポテンシャルエネルギーを蓄積し、前記リターンスプリングは、弾性ポテンシャルエネルギーを放出して前記爪を連続的にリセットさせ、前記ラチェットは、反時計回りに回転して前記爪に当接され、前記爪は、前記ラチェットの反時計回りの回転を限制することを特徴とする請求項１に記載のノブ装置。
【請求項３】
前記ロック装置は、ロック盤及び電子ロックを含み、
前記ロック盤は、前記回転軸に嵌着され、前記ロック盤には、ロック溝が開けられ、
前記電子ロックは、前記ロック盤に対応して前記ノブベースに取り付けられ、
前記電子ロックのボルトは、前記ロック盤のロック溝に伸びて前記ロック盤をロックし、又は、前記電子ロックのボルトは、収縮して前記ロック盤のロック溝から出て前記ロック盤をアンロックすることを特徴とする請求項１に記載のノブ装置。
【請求項４】
前記ノブベースと前記回転軸との間には、前記回転軸に連れて回転するスリーブが嵌着されることを特徴とする請求項１に記載のノブ装置。
【請求項５】
前記スリーブには、前記ノブベースの位置決めのための位置決め段差部が設けられることを特徴とする請求項４に記載のノブ装置。
【請求項６】
前記回転軸の横断面が多角形であり、
前記ラチェット装置及び／又は前記ロック装置の前記回転軸が貫通するための接続孔の形状は、前記回転軸の断面形状に合わせることを特徴とする請求項１に記載のノブ装置。
【請求項７】
前記回転軸は、段付き軸であることを特徴とする請求項１に記載のノブ装置。
【請求項８】
前記回転軸の第２端の端部には、噛合歯車群が接続され、前記噛合歯車群は、駆動歯車と従動歯車を含み、
前記駆動歯車は、前記回転軸の第２端の端部に嵌着され、且つ前記回転軸の回転に連れて回転し、
前記従動歯車は、前記駆動歯車と噛み合って伝動することを特徴とする請求項１に記載のノブ装置。
【請求項９】
前記ノブ本体は、中空カバーであり、前記ラチェット装置がその内部に収納されていることを特徴とする請求項１に記載のノブ装置。
【請求項１０】
ノブを含むカプセルトイマシンであって、
前記ノブは、請求項１−９のいずれか１項に記載のノブ装置であり、前記ノブ装置は、前記ノブベースを介して前記カプセルトイマシンのハウジングに固定して接続されることを特徴とするカプセルトイマシン。
【考案の詳細な説明】
【技術分野】
【０００１】
本考案は、ノブの技術分野に関し、特にノブ装置、及び該装置を用いたカプセルトイマシンに関する。
【背景技術】
【０００２】
カプセルトイマシンとは、カプセルトイを販売するマシンであり、販売機の正面に付いているプロモーションカードからどのタイプの玩具を販売しているかを把握でき、コイン（一般的に使用されているコイン）を入れてから、マシンの前面におけるノブを捻ると、販売機は、下方の吐出口から通常カプセルトイと呼ばれている卵形のカプセルを吐出する。
【０００３】
生活水準の向上に伴い、カプセルトイマシンは、徐々に普及されており、近い将来、主要なショッピングモール及び大通りや横丁まで普及することが期待できる。しかしながら、従来のカプセルトイマシンのノブは、通常、トルクを伝達するための一般的なノブであり、捻るときに音も実感もなく、購買者にとってエクスペリエンスが悪く、このため、従来のノブの構造を改良することが求められる。
【考案の概要】
【考案が解決しようとする課題】
【０００４】
本考案の１つの目的は、ラチェット装置によってノブ本体の逆転を効果的に防止し、ロック装置によってノブ装置の確実なロックを効果的に実現でき、且つ構造がシンプルであるノブ装置を提供することである。本考案の別の目的は、上記ノブ装置を用いており、購買者の実感や聴覚体験が良好であるカプセルトイマシンを提供することである。
【課題を解決するための手段】
【０００５】
上記目的を達成させるために、本考案は、ノブベース、ノブ本体、回転軸、ラチェット装置、及びロック装置を含むノブ装置を提供し、回転軸の第１端の端部は、ノブ本体に接続され、第２端は、ラチェット装置、ノブベース、及びロック装置を順次貫通して接続し、ノブ本体は、回転して回転軸を動かしてノブベースに対して回転させ、ラチェット装置及びロック装置は、回転軸の回転に連れてノブベースに対して回転する。
【０００６】
さらに、ラチェット装置は、ラチェット、爪、リターンスプリング、及びスプリングマウントを含み、ラチェットは、回転軸に嵌着され、爪の頭部は、ラチェットと嵌合して噛み合い、爪の尾部は、リターンスプリング内に挿入され、リターンスプリングは、スプリングマウントに取り付けられ、スプリングマウントは、ノブベースに固定して取り付けられ、ラチェットは、時計回りに回転することによって爪に対して絶えず衝撃を与えて押圧して、リターンスプリングを圧縮して弾性ポテンシャルエネルギーを蓄積し、リターンスプリングは、弾性ポテンシャルエネルギーを放出して爪を連続的にリセットさせ、ラチェットは、反時計回りに回転して爪に当接され、爪は、ラチェットの反時計回りの回転を限制する。
【０００７】
さらに、ロック装置は、ロック盤及び電子ロックを含み、ロック盤は、回転軸に嵌着され、ロック盤には、ロック溝が開けられ、電子ロックは、ロック盤に対応してノブベースに取り付けられ、電子ロックのボルトは、ロック盤のロック溝に伸びてロック盤をロックし、又は、電子ロックのボルトは、収縮してロック盤のロック溝から出てロック盤をアンロックする。
【０００８】
さらに、ノブベースと回転軸との間には、回転軸に連れて回転するスリーブが嵌着される。
【０００９】
さらに、スリーブには、ノブベースの位置決めのための位置決め段差部が設けられる。
【００１０】
さらに、回転軸の横断面が多角形であり、ラチェット装置及び／又はロック装置の回転軸が貫通するための接続孔の形状は、回転軸の断面形状に合わせる。
【００１１】
さらに、回転軸は、段付き軸である。
【００１２】
さらに、回転軸の第２端の端部には、噛合歯車群が接続され、噛合歯車群は、駆動歯車と従動歯車を含み、駆動歯車は、回転軸の第２端の端部に嵌着され、且つ回転軸の回転に連れて回転し、従動歯車は、駆動歯車と噛み合って伝動する。
【００１３】
さらに、ノブ本体は、中空カバーであり、ラチェット装置がその内部に収納されている。
【００１４】
本考案に係るノブ装置は、以下の有益な効果を有する。
【００１５】
１、本考案に係るノブ装置では、ラチェット装置によってノブ本体の逆転を効果的に防止し、ロック装置によってノブ装置の確実なロックを効果的に実現できる。ノブベース、ノブ本体、ラチェット装置、及びロック装置の回転軸での取付位置を合理的に配置することで、ノブ装置の構造をよりコンパクトにし、作動の感度を高め、且つノブ装置の構造を簡素化させる。
【００１６】
２、本考案に係るノブ装置では、ラチェット装置は、爪の往復運動／爪のリセットを実現するためのリターンスプリングを含み、それによってラチェットが時計回りに回転する際に、爪が往復運動してラチェットに衝撃を与えてカチャカチャの音を出し、即ち、ノブ本体を回すときにカチャカチャの音を出し、このように購買者へより良好な実感や聴覚体験を付与する。
【００１７】
３、本考案に係るノブ装置では、ロック装置は、ロック盤及び電子ロックを含み、電子ロックとして従来の電子ロックを用い、ロック盤をディスク状にするため、加工しやすくなり、低コストである。
【００１８】
４、本考案に係るノブ装置では、ノブベースと回転軸との間には、スリーブが嵌着され、スリーブの設置によってノブベースと回転軸との回転接続を実現し、このようにして、確実に接続されるとともに、構造を簡素化させる。
【００１９】
５、本考案に係るノブ装置では、回転軸の横断面が多角形であるため、ラチェット装置及び／又はロック装置は、接続孔の形状を回転軸の断面の形状に合わせた形状に設計するだけで回転軸との非回転接続を実現でき、それにより、キー接続、ボルト接続などの接続構造が不要となり、ラチェット装置及び／又はロック装置は、直接回転軸に嵌着するだけで回転軸との間の非回転接続を実現でき、このように構造画をより簡素化され、取付をより簡便で素早くする。
【００２０】
６、本考案に係るノブ装置では、回転軸を段付き軸とすることにより、軸における各部材の取付及び位置決めが実現される。
【００２１】
７、本考案に係るノブ装置では、回転軸の第２端の端部には噛合歯車群が接続され、それによってノブ装置と該ノブ装置を用いた製品との間の取付及び動力伝達が実現される。
【００２２】
８、本考案に係るノブ装置では、ノブ本体は、中空カバーであり、ラチェット装置がその内部に収納されており、このようにして、ラチェットの配置のために余分な空間を追加する必要がないので、ノブ装置の構造をよりコンパクトにし、占有空間を減少させる。
【００２３】
本考案は、ノブを含むカプセルトイマシンをさらに提供し、ノブは、上記いずれか１種のノブ装置であり、ノブ装置は、ノブベース及び前記カプセルトイマシンのハウジングに固定して接続される。
【００２４】
本考案に係るカプセルトイマシンは、以下の有益な効果を有する。
【００２５】
本考案に係るカプセルトイマシンでは、ノブ装置を用いることで、購買者がノブ本体を回すときに、カチャカチャの音を出すとともに、ノブ本体がラチェットと爪の衝撃による振動を感知し、購買者へより良好な実感や聴覚体験を付与する。
【図面の簡単な説明】
【００２６】
本考案の実施例又は従来技術における技術案をより明瞭に説明するために、以下、実施例又は従来技術の説明に必要な図面について簡単に説明するが、明らかなように、以下の説明における図面は、本考案に係る実施例の一部に過ぎず、当業者であれば、創造的な努力を必要とせずに、これら図面に基づいてほかの図面を想到しうる。
【図１】本考案に係るノブ装置の全体構造模式図である。
【図２】本考案に係るノブ装置の部分構造の組立模式図（１）である。
【図３】本考案に係るノブ装置の部分構造の組立模式図（２）である。
【考案を実施するための形態】
【００２７】
以下、本考案における図面を参照しながら、本考案の実施例における技術的解決手段を明瞭かつ完全に説明するが、勿論、説明される実施例は、本考案の実施例の一部に過ぎず、すべての実施例ではない。当業者が本考案における実施例に基づいて創造的な努力を必要とせずに想到し得るほかの実施例は、すべて本考案に係る保護範囲に属する。
【００２８】
図１、図２、図３に示されるように、本考案の実施例に係るノブ装置は、ノブベース１、ノブ本体２、回転軸３、ラチェット装置、及びロック装置を含む。ここで、回転軸３の第１端の端部は、ノブ本体２に接続され、第２端は、ラチェット装置、ノブベース１、及びロック装置を順次貫通して接続している。ノブ本体２は、回転して回転軸３を動かしてノブベース１に対して回転させ、ラチェット装置及びロック装置は、転軸３の回転に連れてノブベース１に対して回転する。
【００２９】
具体的には、ノブベース１は、主にノブ装置のほかの構造の載置と取付、及びノブ装置と該ノブ装置を用いた製品（たとえば、カプセルトイマシン）との取付接続に用いられる。ノブベース１は、ディスク状のケース構造であり、その周辺には、カプセルトイマシンのハウジングに固定して接続するためのネジ孔が均等に配置されており、その中央には、回転軸３が貫通するための貫通孔を有する。ノブ本体２は、市販品の一般的なノブ本体２の構造を採用してもよく、ノブ本体２の内側の中央部には、回転軸３の第１端が挿入されるための取付孔が設けられる。ラチェット装置、ノブベース１、及びロック装置は、回転軸３に順次嵌着され、ノブ装置全体の重量が主に回転軸３を介してノブベース１に伝達され、ノブベース１で負荷される。ノブベース１は、回転軸３に回転可能に接続され、ラチェット装置及びロック装置は、回転軸３の回転に連れて回転し、即ち、回転軸３に対して静止している。ラチェット装置は、主にノブ本体２の逆転を防止し、即ち、ノブ本体２の反時計回りの回転を防止するために用いられる。ロック装置は、主に回転軸３の回転をロック及びアンロックするために用いられ、これによって回転軸３の回転を制御可能にする。勿論、当業者であれば、本考案に係るラチェット装置及びロック装置について、実際の状況に応じてその具体的な構造を設計することができ、それらは、いずれも本考案の保護範囲に属する。
【００３０】
本考案に係るノブ装置は、ラチェット装置によってノブ本体２の逆転を効果的に防止し、ロック装置によってノブ装置の確実なロックを効果的に実現できる。ノブベース１、ノブ本体２、ラチェット装置、及びロック装置の回転軸３での取付位置を合理的に配置することで、ノブ装置の構造をよりコンパクトにし、動作の感度を高め、且つノブ装置の構造を簡素化させる。
【００３１】
本考案に係るノブ装置のいくつかの実施例では、図２、図３に示されるように、ラチェット装置について、ラチェット４１、爪４２、リターンスプリング４３、及びスプリングマウント４４のような構造を単独で設計している。ここで、ラチェット４１は、回転軸３に嵌着される。爪４２の頭部は、ラチェット４１と嵌合して噛み合う。爪４２の尾部は、リターンスプリング４３内に挿入されてリターンスプリング４３に接続されるか、リターンスプリング４３とラチェット４１の間に係合される。リターンスプリング４３は、スプリングマウント４４に取り付けられる。スプリングマウント４４は、ノブベース１に固定して取り付けられる。ラチェット４１は、時計回りに回転することによって爪４２に対して絶えず衝撃を与えて押圧して、リターンスプリング４３を圧縮して弾性ポテンシャルエネルギーを蓄積する。リターンスプリング４３は、弾性ポテンシャルエネルギーを放出して爪４２を連続的にリセットさせる。ラチェット４１は、反時計回りに回転して爪４２に当接する。爪４２は、ラチェット４１の反時計回りの回転を限制する。
【００３２】
具体的には、ラチェット４１が爪４２と嵌合してノブ本体２を時計回りにしか回転させないことを実現し、即ち、ノブ本体２の反時計回りの逆転を防止するために用いられる。その原理については、当業者が公知するものでるため、ここで詳しく説明しない。爪４２の頭部は、ラチェット４１と嵌合する歯であり、尾部は、断面の寸法が小さくなり棒状となり、リターンスプリング４３の伸縮方向に沿ってリターンスプリング４３の第１端の内部に挿入するために用いられる。それによって、リターンスプリング４３の弾性ポテンシャルエネルギーの蓄積及び放出により、爪４２を動かしてリターンスプリング４３の伸縮方向での往復運動を実現する。爪４２の頭部がラチェット４１のスロットに位置する場合、リターンスプリング４３の長さが最大である。このとき、リターンスプリング４３は、少なくとも自然状態又は圧縮状態であり、それによって爪４２の往復運動のための十分な復帰力を提供できる。スプリングマウント４４には、リターンスプリング４３の取付又はリターンスプリング４３の往復伸縮のための取付溝が設けられ、リターンスプリング４３は、取付溝に取り付けられ、リターンスプリング４３の第２端を取付ベースに固定して接続することによってリターンスプリング４３を固定して取り付けるようにしてもよい。言うまでもないが、ノブ本体２を中空カバーとして設計して、その内部にラチェット装置が収納され、カバーの内壁及び爪４２によりリターンスプリング４３の両端を制限し、即ち、リターンスプリング４３を爪４２とカバーの内壁との間に係合するようにしてもよい。そして、リターンスプリング４３の周方向における位置決めは、スプリングマウント４４における取付溝とノブベース１の側面とによって制限される。また、ノブ本体２は、中空カバーであり、ラチェット装置がその内部に収納されているため、ラチェット４１の配置のために余分な空間を追加する必要がないので、ノブ装置の構造をよりコンパクトにして、占有空間を減少させる。
【００３３】
本考案に係るノブ装置では、ラチェット装置は、爪４２をリセットさせるためのリターンスプリング４３を含み、それにより、ラチェット４１は、爪４２を時計回りに回転させる往復運動により、ラチェット４１に衝撃を与えてカチャカチャの音を出し、即ち、ノブ本体２を回すときに、カチャカチャの音を出し、購買者へより良好な実感や聴覚体験を付与する。
【００３４】
本考案に係るノブ装置のいくつかの実施例では、図１、図３に示されるように、ロック装置について、構造を単独で設計しており、ロック装置は、ロック盤５１及び電子ロック５２を含む。ここで、ロック盤５１は、回転軸３に嵌着され、ロック盤５１には、ロック溝５１１が開けられる。電子ロック５２は、ロック盤５１に対応してノブベース１に取り付けられる。電子ロック５２のボルト５２１は、ロック盤５１のロック溝５１１に伸びて前記ロック盤５１をロックする。又は、電子ロック５２のボルト５２１は、収縮してロック盤５１のロック溝５１１から出てロック盤５１をアンロックする。
【００３５】
具体的には、ロック盤５１は、ディスク状であり、回転軸３に嵌着され、且つ回転軸３とともに回転する。ロック盤５１の縁部には、ロック溝５１１となる切り欠きを有する。ロック溝５１１の数は、１つであってもよく、ロック盤５１の円周において複数配置されてもよく、本考案では、特に制限がなく、いずれの場合も本考案の保護範囲に属する。電子ロック５２としては、従来技術による電子ロック５２が使用可能であり、電子ロック５２は、ロックラック５３を介してノブベース１に取り付けるようにしてもよく、電子ロック５２を固定して取り付ければよい。電子ロック５２のボルト５２１は、ロック盤５１の平面に対して垂直に伸長および収縮する。より具体的には、ボルト５２１が伸長すると、ロック盤５１のロック溝５１１に挿入され、ロック盤５１の回転を限制し、ボルト５２１が収縮すると、ロック盤５１に対するロックを解除し、ノブ本体２が回転できるようになる。電子ロック５２のロック及びアンロックは、様々な支払い（たとえば、コイン投入、スキャン支払いなど）の結果に基づいて電気的に制御することができ、具体的には、従来技術を参照すればよい。
【００３６】
上記実施例に基づいて、ラチェット装置及びロック装置は、回転軸３の回転に連れてノブベース１に対して回転し、即ち、ラチェット装置ラチェット４１及びロック装置のロック盤５１は、回転軸３に連れて回転する。
【００３７】
本考案に係るノブ装置では、ロック装置は、ロック盤５１及び電子ロック５２を含み、電子ロック５２としては、従来の電子ロック５２が使用可能であり、ロック盤５１は、ディスク状であり、加工しやすく、低コストである。
【００３８】
本考案に係るノブ装置の上記いくつかの実施例では、回転軸３の横断面が多角形である。ラチェット装置及び／又はロック装置の回転軸３が貫通するための接続孔の形状は、回転軸３の断面の形状に合わせる。具体的には、回転軸３の横断面は、不規則的な形状、正方形、長方形などであってもよく、主にキー接続、ボルト接続などの接続構造をなくすことを前提に、ラチェット４１及びロック盤５１を回転軸３に直接嵌着することで両方の間の非回転接続を実現するために用いられ、構造をより簡素化させ、かつ取付をより簡便で素早くする。
【００３９】
さらに、ノブベース１と回転軸３との間には、回転軸３に連れて回転するスリーブ６が嵌着され、ノブベース１がスリーブ６に回転可能に直接接続され、さらにノブベース１と回転軸３との間の回転接続が実現される。スリーブ６には、ノブベース１の一側の位置決めための位置決め段差部６１が設けられ、それにより、ノブ装置がカプセルトイマシンのハウジングに接続された後、ノブ本体２とカプセルトイマシンのハウジングとの間に所定の隙間を有し、ノブ本体２の回転時にカプセルトイマシンのハウジングへの摩損を防止する。一方、回転軸３の横断面が多角形を採用するときに、スリーブ６の内面を多角形に設計することでスリーブ６と回転軸３との非回転接続を実現でき、また、スリーブ６の外面を円柱面に設計することでノブベース１との回転接続を実現でき、このため、構造に工夫が凝らされている。
【００４０】
さらに、回転軸３は、段付き軸であり、たとえば、主にラチェット４１、スリーブ６、ロック盤５１の回転軸３での位置決め及び取付などの軸における各部材の取付及び位置決めを実現するために用いられる。
【００４１】
さらに、回転軸３の第２端の端部には、噛合歯車群が接続され、噛合歯車群は、駆動歯車７１及び従動歯車７２を含む。ここで、駆動歯車７１は、前記回転軸３の第２端の端部に嵌着され、且つ回転軸３の回転に連れて回転する。従動歯車７２は、駆動歯車７１と噛み合って伝動する。具体的には、回転軸３の第２端の端部には、噛合歯車群が接続され、それにより、ノブ装置と該ノブ装置を用いた製品との間の動力伝達が実現される。
【００４２】
本考案に係るカプセルトイマシンは、ノブを含み、ノブは、上記いずれかの実施例のノブ装置であり、ノブ装置は、ノブベース１を介して前記カプセルトイマシンのハウジングに固定して接続される。
【００４３】
本考案に係るカプセルトイマシンは、ノブ装置を用いることで、購買者がノブ本体２を回すときに、カチャカチャの音を出し、且つノブ本体２がラチェット４１と爪４２との間の衝撃による振動を感知して、購買者へより良好な実感や聴覚体験を付与する。
【００４４】
なお、本考案における「反時計回り」、「時計回り」、「第１」及び「第２」は、説明の便宜上のために過ぎず、本考案の主旨を制限するものとして理解すべきではない。
【００４５】
以上、特定の実施例にて本考案をさらに説明したが、なお、ここでの具体的な説明は、本考案に係る主旨及び範囲を限定するものではなく、当業者であれば、本明細書に基づいて上記実施例に対して行われる様々な修正は、すべて本考案の保護範囲に属する。
【符号の説明】
【００４６】
１−ノブベース、２−ノブ本体、３−回転軸、４１−ラチェット、４２−爪、４３−リターンスプリング、４４−スプリングマウント、５１−ロック盤、５１１−ロック溝、５２−電子ロック、５２１−ボルト、５３−ロックラック、６−スリーブ、６１−位置決め段差部、７１−駆動歯車、７２−従動歯車。
【図１】
0003224142.tif 000003
【図２】
0003224142.tif 000004
【図３】
0003224142.tif 000005